(57)【要約】  【課題】体力低下の気になる中高齢者や運動の苦手な方が、いつでも無理なく使用でき、体の歪みから来る体調不良を改善できる姿勢矯正補助具を提供する。【解決手段】腰部に装着するエプロン・スカート・長上着などにおいて、体側脇線中央およびその後ろ中央寄りの臀部位置に、肘から下の手が入る幅と深さを有する補助具を、隣接させて左右に２対設ける。【選択図】  図２
2014171764.tif 000002
【特許請求の範囲】
【請求項１】
腰部に装着する装着帯の、体側脇線中央および後ろ中央寄りの臀部位置に、肘から下の手が入る幅と深さを有する、隣接した左右２対からなる姿勢矯正補助具
【請求項２】
前記補助具がポケットである請求項１に記載の姿勢矯正補助具。
【請求項３】
前記補助具は、ダーツやギャザーあるいは伸縮素材により、肘から下の手が十分に入る幅と深さを有する構造とした請求項１又は請求項２に記載の姿勢矯正補助具。
【請求項４】
前記補助具を縫い付けた装着帯の、上端を折り返し、筒状に成形し、その中を紐ベルトが挿通することで、前記装着帯の巾を調節することのできる請求項１〜３の何れかに記載の姿勢矯正補助具。
【発明の詳細な説明】
【技術分野】
【０００１】
本発明は、体力低下の気になる中高齢者や運動の苦手な方が、いつでも無理なく使用でき、体の歪みから来る体調不良を改善する、衣類等の布に付けた姿勢矯正補助具に関する。
【背景技術】
【０００２】
従来、姿勢を矯正するベルトや下着として、下記特許文献に記載された種々のものが提案されている。
【０００３】
また近年、健康志向が高まり、この様な身体を圧迫する矯正具によらず、エクササイズ等で身体を強化改善する傾向が強まりつつある。
【先行技術文献】
【特許文献】
【０００４】
【特許文献１】特開２００２−１７７３０９号公報
【特許文献２】特開２００８−２１４８１３号公報
【発明の概要】
【発明が解決しようとする課題】
【０００５】
上記特許文献に記載された矯正具は、いずれも伸縮性のベルトや布を用いた抑制による矯正で、体の動きが不自由となり、個々の体型や体力に適応したものとは言い難く、着脱も容易なものではなかった。また、使用にあっては、構造上の問題から動作によるズレを生じ、矯正の作用が損なわれ、痛みを生ずることもあり、継続使用することが難しかった。
また、エクササイズやスクワットなどは、運動の苦手な方や体力のない中高年者にとっては困難なものも多く、基本の姿勢を会得できないまま継続し、関節を痛めることもあった。
本発明は、上述の問題点に鑑み考案したもので、単純な構造ながら、いつでも簡単に着脱でき、体力低下の気になる病後にあっても、体調に合わせて無理なく継続使用できる姿勢矯正補助具を得ることを目的とする。
【課題を解決するための手段】
【０００６】
本発明の姿勢矯正補助具は、矯正補助具の取り付けられた腰部に装着する装着帯、たとえばエプロン・スカート・長上着などにおいて、体側脇線中央および後ろ中央寄りの臀部位置に、肘から下の手が入る幅と深さを有する、隣接した補助具左右２対からなる。
その具体的な形態は、強度のある綿や麻などの装着帯に、ダーツやギャザーあるいは伸縮素材により、肘から下の手が十分に入る幅と深さを有する構造とした布を、姿勢矯正補助具として、上述の位置に縫い付けたことが挙げられる。また、着用者の脇線に補助具の位置を合わせるために、ベルトを引き絞る、またはウェストにホックを取り付ける等の方法で、装着帯の巾を調節できるようにする。
【発明の効果】
【０００７】
本発明に係る姿勢矯正補助具を取り付けた装着帯を装着し、左右脇線中央に設けた姿勢矯正補助具に手を入れ、肘を伸ばして、手先を下方へ下げながら肩を押し下げるようにすると、腕が脇線中央へと誘導され、図２の破線で示す体の中心軸上に腕が保持され、正しい姿勢で立つ事ができる。
また、後ろに取り付けた姿勢矯正補助具へも同様に手を入れ、肘を伸ばして、手先を下向へ押し下げると、肩が開き、肩甲骨が寄る姿勢となり、肩甲骨の柔軟性を高めることができる。これにより、両肩を後方へ引きやすい身体となり、姿勢を矯正することができる。
本補助具の取り付けられた装着帯、たとえばエプロンやスカート・長上着は、継続着用も負担がなく、容易に着脱でき、衣料として違和感がないため、装着のまま家事や仕事ができ、これらの合間を利用した姿勢矯正が可能である。  
【図面の簡単な説明】
【０００８】
【図１】本発明に係る姿勢矯正補助具をエプロンで実施した一例を示す展開図である。
【図２】同エプロンを装着した状態を示す図（側面）である。
【図３】同じく装着した状態を示す図（背面）である。
【発明を実施するための形態】
【０００９】
以下、本発明の実施の形態を図１〜図３に基づいて説明する。
【実施例１】
【００１０】
図１は、本発明に係る姿勢矯正補助具をエプロンで実施した場合の一例を示す。この図において、姿勢矯正補助具付きエプロンは、前掛け部１と、前掛け部１の両脇に縫いつけられた左右２対のポケット型補助具２ａ、２ｂ、３ａ、３ｂと、前掛け部１の上縁５の中を通る紐ベルト６とで構成される。
このエプロンは、強度のある綿や麻などの生地を使用し、ポケット型補助具は、ダーツやギャザーあるいは伸縮素材により、肘から下の手が十分に入る幅と深さを有する構造となっている。
エプロン前掛け部１の内側の一対のポケット型補助具２ａ、２ｂは、エプロンを装着したときに、図２の破線で示す身体の中心軸上に位置するように縫いつけられている。また、外側の一対のポケット型補助具３ａ、３ｂは、２ａ、２ｂに隣接した臀部に位置するように縫い付けられている。前記エプロン前掛け部１の上縁５は、折り返されて筒状に成形され、そこに紐ベルト６が挿通されており、エプロン前掛け部１の幅が、これを装着する人のサイズに応じて脇線を調節できるようになっている。この場合、上縁５と紐ベルト６は、中央４で縫い留められている。
【００１１】
このエプロンを装着するときは、エプロン前掛け部１の上縁５の中央４を腹部中央に合わせ、紐ベルト６を腰に巻き廻し、腹部中央にて縛り、図２の様に直立し、補助具２ａ、２ｂの位置を体側脇線中央の位置に合わせ、その補助具２ａ、２ｂに手を入れ、肘を伸ばして、手先を下方へ下げながら肩を押し下げるようにする。これにより腕が体の中心軸へと誘導され、図２のように正しい姿勢で立つ事ができる。
次に図３の様に後ろのポケット型姿勢矯正補助具３ａ、３ｂへも同様に手を入れ、肘を伸ばして、手先を下向へ押し下げると、肩が開き、肩甲骨を寄せる姿勢となる。
【００１２】
本補助具を取り付けたエプロンは、装着物として違和感なく苦痛もないため、長時間の着用が可能となり、常時着用の効果として正しい姿勢を意識する機会が増え、使用効果も高まる。体の歪みが解消され、血流も良くなると身体機能は向上する。また、猫背が解消されると外見上も若くなるという効果も期待できる。
姿勢矯正補助具を設ける装着帯は、季節に合わせ素材やデザインを変える事で、腰まわりの保温や眼隠しにも有効である。また、ポケット型補助具は、ポケットとしての機能も持つ。
【００１３】
姿勢矯正補助具の中に手を入れ、肩を押し下げる時、つま先立ちやかかと立ちをすると、足の筋力を鍛える簡単なエクササイズとして、また補助具の中で手のひらを前後に返す動きは、肩こり解消の運動として実行継続が容易である。着座や正座の折は、後ろポケット型姿勢矯正補助具３ａ、３ｂに手を入れると自ずと背の伸びた姿勢を作る事が出来る。
【００１４】
以上の実施形態は、エプロンに姿勢矯正補助具を縫い付けたものであったが、これに代えて、例えば、スカートやベスト・長上着のようなものにも同様に適用することができる。
【産業上の利用可能性】
【００１５】
本発明の姿勢矯正補助具は、特殊な素材を必要とせず、縫製のみによって容易に製造できるため、従来のエプロンやスカートに取り付けて、機能性を持たせる事も容易である。
また、外見上通常の着衣として違和感なく着用できるため、社員の研修や着座使用で高齢者の寝たきり予防にも利用出来る。また、簡単エプロン・エクササイズ等の考案も可能である。
【符号の説明】
【００１６】
１  エプロン前掛け部
２ａ、２ｂ  脇ポケット型姿勢矯正補助具
３ａ、３ｂ  後ろポケット型姿勢矯正補助具
４  前掛け部１の上縁部中央の印
５  前掛け部１の上縁部
６  紐ベルト
【図１】
2014171764.tif 000003
【図２】
2014171764.tif 000004
【図３】
2014171764.tif 000005